(57)【特許請求の範囲】
【請求項１】
複数の接続ピンを有するＬＥＤ表示器を取り付けるためのＬＥＤ専用ソケットであって、
板状の取付部と、取付部においてＬＥＤ表示器が位置する側と反対側の面に設けられる箱形の接続部とが一体に形成された取付ベースから成り、
ＬＥＤ専用ソケットの前面であるＬＥＤ表示器が位置する面には、垂直に突出する二本の保持片が設けられ、
各保持片は、相対向して突出する止め爪を、取付部表面よりＬＥＤ表示器の奥行きの距離を隔てた部位に有し、
取付部には、接続ピンの位置に対応したピン孔が設けられ、
接続部には、ピン孔の数と位置とに対応して接続部を貫通する接続孔が設けられるとともに、
接続孔へ挿入されるコードの一端には、外側方に湾曲され、ばね弾性を付与された１個又は一対の舌片を有するコード金具が装着され、
前記コード金具は、各接続ピンを挿入可能な円筒状にそれぞれ形成され、
前記舌片は、コード金具の挿入側よりも反挿入側が外側方に突出して傾斜した湾曲状態をなし、コード金具を接続孔へコード金具を挿入した状態で舌片が接続孔の内壁で押し下げ可能に形成されるとともに、押し下げられた舌片で、コード金具に挿入された接続ピンの外径よりもコード金具の内径が小さくなり挿入された接続ピンを挟み込み保持可能になるように形成され、接続ピンとコードの導線とを接続可能としたことを特徴とするＬＥＤ専用ソケット。
【発明の詳細な説明】
【０００１】
【発明の属する技術分野】
本発明は、ＬＥＤ表示器を弾球遊技機などに取り付けるためのＬＥＤ専用ソケットに関する。
【０００２】
【従来の技術】
ＬＥＤ表示器は、複数個のＬＥＤの点灯の組合せにより、数字又は記号を表示するものである。たとえば、０から９までの数字を表示する７セグメントＬＥＤ表示器がある。また、セグメント数を増やしてアルファベットも表示可能としているものもある。
【０００３】
このＬＥＤ表示器は、図１１に示すような、パチンコ機等の弾球遊技機にも使用されており、たとえば役物90の入賞口91への入賞回数といった特定状況のカウント数を遊技者に示すものである。
そして、このＬＥＤ表示器は、個々のＬＥＤに対応した複数本の接続ピンを裏面に有する。たとえば、７セグメントＬＥＤ表示器では八本又は十本である。従来、ＬＥＤ表示器は、図１２ないし図１４に示すような基板80に取り付けられていた。図１２は基板80の表面を、図１３及び図１４は基板80の裏面をそれぞれ示したものである。
【０００４】
この基板80には、図１２に示すように、ＬＥＤ表示器60の接続ピン61の数に応じたスルーホール81と称する小孔が設けられている。また、基板80の裏面には、図１３に示すように、個々のスルーホール81からリード端子83へと至るリード線82が設けられている。全てのリード端子83は接近させてコネクタ接続部85に並べられるものである。このコネクタ接続部85は、制御部へと接続されているコネクタ86が接続されるものである。また、図１４に示すように、リード端子83の代わりに半田パッド84が設けられていることもある。
【０００５】
そして、ＬＥＤ表示器60のこの基板80への取り付けは、以下のように行われている。まず、基板80の表面から接続ピン61をスルーホール81へ挿入する。次に、基板80の裏面から、突出した接続ピン61をリード線82に半田付けする。
【０００６】
【発明が解決しようとする課題】
このような従来の基板へのＬＥＤ表示器の取り付けでは、個々の接続ピンごとに半田付けする必要があり、その工程は煩雑なものであった。また、ＬＥＤ表示器は半田付けされているため、ＬＥＤ表示器が故障した場合、ＬＥＤ表示器のみの交換は極めて困難であった。
【０００７】
特に、弾球遊技機では、１個又は数個のＬＥＤ表示器を取り付けているも、遊技者が遊技を行う際、振動を生じることも多く、ＬＥＤ表示器などに故障が発生することがあり、ＬＥＤ表示器に故障した場合、基板ごと交換する必要が生じ、煩雑かつ不経済であった。
上記の問題点に鑑み、本発明は、ＬＥＤ表示器の取り付け及び交換の容易なＬＥＤ専用ソケットを提供することを目的とするとともに、取り付けたＬＥＤ表示器の脱落防止をも目的とする。
【０００８】
【課題を解決する手段】
上記の課題を解決するために、請求項１に記載の発明は、複数の接続ピン61を有するＬＥＤ表示器60を取り付けるためのＬＥＤ専用ソケット10であって、板状の取付部30と、取付部30においてＬＥＤ表示器60が位置する側と反対側の面に設けられる箱形の接続部40とが一体に形成された取付ベース20から成り、ＬＥＤ専用ソケット10の前面であるＬＥＤ表示器60が位置する面には、垂直に突出する二本の保持片35、35が設けられ、各保持片35、35は、相対向して突出する止め爪36、36を、取付部30表面よりＬＥＤ表示器60の奥行きの距離を隔てた部位に有し、取付部30には、接続ピン61の位置に対応したピン孔31が設けられ、接続部40には、ピン孔31の数と位置とに対応して接続部40を貫通する接続孔41が設けられるとともに、接続孔41へ挿入されるコード70の一端には、外側方に湾曲され、ばね弾性を付与されたの舌片76を有するコード金具73が装着され、前記コード金具73は、各接続ピン61を挿入可能な円筒状にそれぞれ形成され、
前記舌片76は、コード金具73の挿入側よりも反挿入側が外側方に突出して傾斜した湾曲状態をなし、接続孔41へコード金具73を挿入した状態で舌片76が接続孔41の内壁で押し下げ可能に形成されるとともに、押し下げられた舌片76で、コード金具73に挿入された接続ピン61の外径よりもコード金具73の内径が小さくなり、挿入された接続ピン61を挟み込み保持可能になるように形成され、接続ピン61とコード70の導線とを接続可能としたことを特徴とする。
【０００９】
「取付部」とは、ＬＥＤ専用ソケット10を、たとえば遊技機の盤面に取り付けるための部分をいい、ピン孔31が貫通している。
「ピン孔」とは、ＬＥＤ表示器60の接続ピン61が挿入される孔をいう。
「接続部」とは、接続ピン61とコード70との接続を図るための部分をいい、接続孔41が貫通している。「保持片」とは、取付部30の表面から垂直に突出する柱状ないし板状構造物をいい、取付部30と一体に形成されている。その先端付近には、止め爪36が設けられている。
「止め爪」とは、保持片35の先端付近から、取付部30に平行に突出する部分をいう。取付部30表面から、止め爪36までの距離は、ＬＥＤ表示器60の奥行きと等距離となっている。両保持片35、35は、ＬＥＤ表示器60の高さ方向又は幅方向を保持することとなる。
また、本請求項記載の発明では、接続ピン61とコード70との接続は、コード70に取り付けられたコード金具73による。
コード金具73には、たとえば切り込みを施すことによって、一対の舌片76、76が設けられている。そして、この舌片76、76を外側方に湾曲することで、ばね弾性を付与している。
【００１０】
本請求項に係るＬＥＤ専用ソケット10は、以下のように使用される。
まず、保持片35、35を弾性により押し拡げ、ＬＥＤ表示器60を取り付ける。そして、ピン孔31よりＬＥＤ表示器60の接続ピン61を挿入する。接続ピン61が完全にピン孔31へ挿入されると、保持片35、35も弾性により復元し、止め爪36、36によりＬＥＤ表示器60が保持されることとなる。
【００１１】
次に、接続孔41に、コード金具73の接続されたコード70を挿入する。このとき、舌片76が接続孔41の内壁により押し下げられることとなる。そして、コード金具73が完全に挿入されると、押し下げられた舌片76で、コード金具73に挿入された接続ピン61の外径よりもコード金具73の内径が小さくなり、挿入された接続ピン61を挟み込み保持可能になるように形成されているので、押し下げられた舌片76によって、先に挿入されていた接続ピン61が挟まれ保持され、接続ピン61とコード70とが、コード金具73を介して接続されることになる。
そして、舌片76は、コード金具73の挿入側よりも反挿入側が外側方に突出して傾斜した湾曲状態をなしているので、接続孔41へコード金具73を挿入した状態で舌片76が接続孔41内壁で押し下げに抗した状態で、接続孔41から」コード金具73が脱落することもない。、
【００１２】
【発明の実施の形態】
以下、本発明の実施の形態を、図面を参照しつつ説明する。なお、以下の記述では、ＬＥＤ表示器60として、７セグメントＬＥＤ表示器を使用した場合について説明している。
図１ないし図５は、本発明の第一の実施の形態を示すものである。図１は、本実施の形態に係るＬＥＤ専用ソケット10と、ＬＥＤ表示器60及びコード70との取り付けの状態を示す斜視図である。図２は、本実施の形態に係るＬＥＤ専用ソケット10の正面図である。図３は、本実施の形態に係るＬＥＤ専用ソケット10を、図２におけるＡ−Ａ断面で示したものである。図４は、本実施の形態に係るＬＥＤ専用ソケット10を、図２におけるＢ−Ｂ断面の平面視で示したものである。図５は、本実施の形態に係るＬＥＤ専用ソケット10に、ＬＥＤ表示器60及びコード70を取り付けた状態を、図２におけるＢ−Ｂ断面の平面視で示したものである。
【００１３】
（構造）
まず、本実施の形態に係るＬＥＤ専用ソケット10の構造を説明する。
本実施の形態に係るＬＥＤ専用ソケット10は、取付ベース20と裏蓋50とから成る。また、取付ベース20は、取付部30と接続部40とにより一体に成形されている。
【００１４】
取付部30は板状を呈し、このＬＥＤ専用ソケット10を取り付けるためのねじ孔32、32を有する。また、図１ないし図３に示すように、７セグメントＬＥＤ表示器の八本の接続ピン61に対応した八個のピン孔31が縦二列に並んでいる。なお、７セグメントＬＥＤには接続ピンが十本のものもあるが、以下の説明では八本のものにつき説明してある。
【００１５】
取付部30表面からは、図１ないし図５に示すように、二本の保持片35、35が垂直に突出している。この保持片35、35は、ピン孔31が並んでいる領域を隔てて位置している。その間隔は、ＬＥＤ専用ソケット10に取り付けられるＬＥＤ表示器60の高さに相当する。また、図１及び図３に示すように、保持片35の先端付近には、内方へ突出する止め爪36が設けられている。取付部30表面から止め爪36までの距離は、ＬＥＤ専用ソケット10に取り付けられるＬＥＤ表示器60の奥行きに相当する。
【００１６】
取付部30裏面には、図１及び図３ないし図５に示すように、取付部30と一体の箱形の接続部40が設けられている。この接続部40を貫通して、計八個の接続孔41が設けられている。各々の接続孔41は、前記のピン孔31と連絡している。また、接続孔41の径はピン孔31の径より大である。
この接続孔41は、図３ないし図５に示すように、その内部に、接続金具45を収容する。接続金具45は、銅ないし真鍮製の二枚の平行な細板から成る。そして、その各々の両端は、内方へＪ字状に折り返して曲げられている。そして、図４及び図５に示すように、その先端どうしを近接ないし接触させることで、ばね弾性を有する折返し部46が形成されている。すなわち、接続金具45はその両端に折返し部46、46を有し、折返し部46の弾性により、折返し部46にＬＥＤ表示器60の接続ピン61やコード70の導線71を圧接挾持して電気的に接続ピン61とコード70とを接続すると共に、接続ピン61やコード70を固定することができる。
【００１７】
そして、この接続金具45は、それぞれの接続孔41に一個ずつ収容される。すなわち、一個のソケットは八個の接続金具45を有することとなる。
接続部40の反取付部30側の面には、図１及び図３ないし図５に示すように、裏蓋50が装着される。裏蓋50には、図３ないし図５に示すように、接続孔41に対応する位置に八個のコード孔51が、裏蓋50を貫通して設けられている。このコード孔51の径は、接続孔41の径より小となっている。
【００１８】
（組立）
次に、本実施の形態に係るＬＥＤ専用ソケット10の組み立てについて説明する。
まず、接続孔41の各々に接続金具45を挿入する。
そして、接続部40の反取付部30側から、裏蓋50を接着する。また、接着の代わりに、はめ込み式としてもよい。
【００１９】
前記の構造により、ピン孔31及びコード孔51の径は、接続孔41の径より小であるため、図３ないし図５に示すように、接続孔41内に収容された接続金具45はいずれの側からも脱落することはない。
（取付）
次に、本実施の形態に係るＬＥＤ専用ソケット10への、ＬＥＤ表示器60及びコード70の取り付けについて、図１及び図５を参照しつつ説明する。
【００２０】
まず、コード孔51より、先端の被覆72を剥離して導線71を露出したコード70を挿入する。ここで、導線71が接続金具45の折返し部46のばね弾性により挾まれ保持され、容易に脱落しないこととなる。なお、取り付けの確実を図るため、導電性接着剤を導線71に付着させてからコード孔51へ挿入することとしてもよい。
次に、保持片35、35を弾性により押し広げ、ＬＥＤ表示器60を取り付ける。そして、ピン孔31よりＬＥＤ表示器60の接続ピン61を挿入する。接続ピン61が完全にピン孔31へ挿入されると、保持片35、35も弾性により復元し、止め爪36、36によりＬＥＤ表示器60が保持されることとなる。すなわち、ＬＥＤ表示器60は、接続金具45の折返し部46により挾まれ保持されるとともに、その本体は保持片35、35により挾まれ保持されることで、容易に脱落しないこととなる。
【００２１】
また、図５に示すように、接続ピン61は、接続金具45のピン孔31側の折返し部46により挾まれ保持され、一方、コード70の導線71は、接続金具45のコード孔51側の折返し部46により挾まれ保持されることで、接続ピン61とコード70とが接続金具45を介して接続されることとなる。
（作用）
以上の説明により、本実施の形態に係るＬＥＤ専用ソケット10では、ＬＥＤ表示器60の取り付けの際に半田付けが不要となる。また、ＬＥＤ表示器のみならず、コードの取り付けも容易である。更に、ＬＥＤ表示器60は確実に取り付けられているものの、保持片35、35を押し広げつつＬＥＤ表示器60を強く引っ張れば取り外しは可能なので、ＬＥＤ表示器60の交換も容易である。
【００２２】
加えて、構造が単純であるとともに部品数も少なく、小型のＬＥＤ専用ソケット10とすることができると共に、量産も容易となり、生産コストの低減も図ることができる。
（第二の実施の形態）
図６は、本発明の第二の実施の形態を示すものである。ただし、本実施の形態の正面図は、図２に示すものと同一であり、図６は、そのＡ−Ａ断面を示したものである。
【００２３】
本実施の形態においては、コード70はあらかじめ接続金具45の一端に接続されている。また、折返し部46は接続金具45の一端にのみ設けられている。その他の構造は、第一の実施の形態と同様である。また、本実施の形態におけるＬＥＤ表示器60の取り付けは、第一の実施の形態における場合と同様である。
（第三の実施の形態）
図７ないし図１０は、本発明の第三の実施の形態を示すものである。図７は、本実施の形態に係るＬＥＤ専用ソケット10に接続するコード70の先端を示す斜視図で、図８はその縦断面図である。図９は、本実施の形態に係るＬＥＤ専用ソケット10へのＬＥＤ表示器60及びコード70の接続を示す縦断面図で、図１０は、その接続の様子を拡大したものである。
【００２４】
本実施の形態に係るＬＥＤ専用ソケット10では、これまでの実施の形態とは異なり、取付ベース20のみから成り、裏蓋50を有しない。また、各々の接続孔41の内部には接続金具45を収容していないこともこれまでの実施の形態とは異なる。
その代わりに、接続するコード70の一端に、図７に示すようなコード金具73を装着している。
【００２５】
このコード金具73とは、内径がコード70の外形とほぼ等しい金属製の円筒から成る。このコード金具73の一端は、コード70の一端と直接接することになるコード側端74となっている。また、コード金具73のもう一端は、ＬＥＤ表示器60の接続ピン61と直接接することになるピン側端75となっている。そして、このコード金具73のピン側端75寄りの側面に、長軸方向に沿ってコの字状の切れ目が施され、直径を挟み相対向した一対の細板状の舌片76、76が形成されている。この舌片76は、ピン側端75よりの部分でコード金具73と繋がっている。更に、両舌片76は、図７及び図８に示すように、外側方に湾曲されて、ばね弾性を付与されている。
【００２６】
コード金具73とコード70との接続は、次のように行われる。
コード金具73のコード側端74から、被覆72を剥離して導線71を露出したコード70の一端を挿入する。そして、コード金具73と導線71が接する部分を押圧変形して密着部77を形成している。コード金具73とコード70とは、この密着部77によって強固に接続され、容易に脱落しないこととなっている。
【００２７】
本実施の形態に係るＬＥＤ専用ソケット10とＬＥＤ表示器60及びコード70との接続は、以下のようにして行われる。
まず、保持片35、35を弾性により押し拡げ、ＬＥＤ表示器60を取り付ける。そして、ピン孔31よりＬＥＤ表示器60の接続ピン61を挿入する。接続ピン61が完全にピン孔31へ挿入されると、保持片35、35も弾性により復元し、止め爪36、36によりＬＥＤ表示器60が保持されることとなる。
【００２８】
次に、図９に示すように、接続孔41に、コード金具73の接続されたコード70を挿入する。このとき、舌片76、76が接続孔41の内壁により押し下げられることとなる。そして、コード金具73が完全に挿入されると、押し下げられた舌片76、76によって、先に挿入されていた接続ピン61が挟まれ保持され、かつ、コード金具73が接続孔41から脱落することが防止されることとなる。よって、接続ピン61とコード70とが、コード金具73を介して接続されることになる。これが図１０に示す状態である。
【００２９】
尚、図７乃至図１０では、一対の舌片76、76を１個のコード金具73に設けているも、舌片76は、１個のコード金具73に１個だけ設ける場合もある。
（その他）
以上の説明では、ＬＥＤ表示器60として７セグメントＬＥＤ表示器を取り付けるためのＬＥＤ専用ソケット10について述べてきたが、ＬＥＤ表示器60としてはこれに限定されるものでないことはいうまでもない。すなわち、ＬＥＤ表示器60の接続ピン61の数に応じたピン孔31、接続孔41及びコード孔51を有するＬＥＤ専用ソケット10の製造が可能である。
【００３０】
又、清掃点検などを随時行うパチンコ機などの弾球遊技機であって、衝撃などによりＬＥＤ表示器60や役物90などの修理交換を行うことのある弾球遊技機に適したＬＥＤ専用ソケット10とすることができた。
【００３１】
【発明の効果】
上記の構成により、本発明は以下に示す効果を奏する。
すなわち、請求項１に記載の発明によると、ＬＥＤ表示器の取り付け及び交換が容易となる。
また、請求項１に記載の発明によると、ＬＥＤ表示器の取り付け及び交換が容易であり、取り付けたＬＥＤ表示器の脱落防止を確実に図ることができる。
【図面の簡単な説明】
【図１】  本発明の第一の実施の形態を示す斜視図である。
【図２】  本発明の第一の実施の形態を示す正面図である。
【図３】  本発明の第一の実施の形態を、図２のＡ−Ａ断面図で示したものである。
【図４】  本発明の第一の実施の形態を、図２のＢ−Ｂ断面図の平面視で示したものである。
【図５】  本発明の第一の実施の形態の使用状態を、図２のＢ−Ｂ断面図の平面視で示したものである。
【図６】  本発明の第二の実施の形態を、図３と同様の断面図で示したものである。
【図７】  本発明の第三の実施の形態で用いるコードの一端を、斜視図で示したものである。
【図８】  本発明の第三の実施の形態で用いるコードの一端を、縦断面図で示したものである。
【図９】  本発明の第三の実施の形態を、縦断面図で示したものである。
【図１０】  本発明の第三の実施の形態における、接続ピンとコードとの接続を示す縦断面図である。
【図１１】  ＬＥＤ表示器の、遊技機における使用例を示した斜視図である。
【図１２】  従来の基板の正面斜視図である。
【図１３】  従来の基板の背面斜視図である。
【図１４】  従来の基板の背面斜視図である。
【符号の説明】
１０  ＬＥＤ専用ソケット
２０  取付ベース
３０  取付部          ３１  ピン孔
３２  ねじ孔          ３５  保持片
３６  止め爪
４０  接続部          ４１  接続孔
４５  接続金具        ４６  折返し部
５０  裏蓋            ５１  コード孔
６０  ＬＥＤ表示器    ６１  接続ピン
７０  コード          ７１  導線
７２  被覆            ７３  コード金具
７４  コード側端      ７５  ピン側端
７６  舌片            ７７  密着部
８０  基板            ８１  スルーホール
８２  リード線        ８３  リード端子
８４  半田パッド      ８５  コネクタ接続部
８６  コネクタ
９０  役物            ９１  入賞口
【図１】
0003735558.tif 000002
【図２】
0003735558.tif 000003
【図３】
0003735558.tif 000004
【図４】
0003735558.tif 000005
【図５】
0003735558.tif 000006
【図６】
0003735558.tif 000007
【図７】
0003735558.tif 000008
【図８】
0003735558.tif 000009
【図９】
0003735558.tif 000010
【図１０】
0003735558.tif 000011
【図１１】
0003735558.tif 000012
【図１２】
0003735558.tif 000013
【図１３】
0003735558.tif 000014
【図１４】
0003735558.tif 000015